(57)【特許請求の範囲】
【請求項１】
サイディング材を、窓枠の側端部に近接するようにして外壁に取り付けるためのサイディング取付金具において、
前記窓枠の側端部に近接して設けられる係合用金具と、固定用金具とからなり、
前記係合用金具は、係合用金具本体と、
この係合用金具本体の表面に設けられ、サイディング材の幅方向一縁部に設けられた被係合部に係合する係合部と、
前記係合用金具本体の両側縁部に設けられ、サイディング材を所定高さに支持する支持部と、
前記係合用金具本体に、前記窓枠に近接する方向に延出して設けられ、外壁に固定される固定部と、
前記係合用金具本体に、前記固定部と反対方向に延出して設けられた延出部とを備えており、
前記固定用金具は、前記係合用金具の延出部が係合して、この延出部を上方から押さえる押さえ部を有する固定用金具本体と、
この固定用金具本体に設けられ、外壁に固定される本体固定部とを備えていることを特徴とするサイディング取付金具。
【請求項２】
請求項１に記載のサイディング取付金具において、
前記固定用金具の本体固定部には、止着材を挿通するための孔部が形成されており、
この孔部は、前記係合用金具と固定用金具とが外壁に設置された際に、前記係合用金具の係合部の近傍に位置するように、前記本体固定部に形成されていることを特徴とするサイディング取付金具。
【請求項３】
請求項１または２に記載のサイディング取付金具において、
前記サイディング材の端縁と窓枠との間に目地部が形成されており、
前記係合用金具の固定部は、前記目地部の底部に位置するようにして延出していることを特徴とするサイディング取付金具。
【請求項４】
請求項１〜３のいずれか一項に記載のサイディング取付金具において、
前記係合用金具本体の表面に、前記係合部の後背部に当接する当接部が設けられていることを特徴とするサイディング取付金具。
【請求項５】
請求項１〜４のいずれか一項に記載のサイディング取付金具において、
前記固定用金具本体の表面に、前記係合用金具の支持部とともにサイディング材を所定高さに支持する補助支持部が設けられていることを特徴とするサイディング取付金具。
【発明の詳細な説明】
【技術分野】
【０００１】
本発明は、サイディング材を、窓枠の側端部に近接するようにして外壁に取り付けるためのサイディング取付金具に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
【０００３】
以上のようなパネル工法として、建物の壁体に外装材を取り付けるための外装材の取付金具および外装材の縦貼り用胴縁、並びに、建物の壁体に外装材を取り付ける外装材の取付け工法に関する技術が知られている（特許文献１参照）。
この特許文献１に記載の取付金具は、正面側に、左右両側の外装材の各縁部に設けられた被係合部にそれぞれ係合する外装材係合部が設けられた構成となっている。
【特許文献１】特開２０００−３５６０２４号公報
【発明の開示】
【発明が解決しようとする課題】
【０００４】
ところで、上述したように特許文献１に記載の取付金具は、左右に外装材を設ける際に用いられるものであるため、例えば、外装材を窓枠の側端部に近接するようにして設ける際には適していない場合がある。
そこで、例えば、外装材の一方の縁部に形成された被係合部に係合するとともに、外装材と窓枠との間の目地部から釘打するだけで、外装材を窓枠の側端部に近接して設けることが可能な取付金具等の開発がなされている。
【０００５】
ところが、このような取付金具の場合、外装材の被係合部に係合する部分と釘打される部分との間の距離が長ければ長いほど、例えば、強い風圧力が加わった際に外装材に生じる引張力に抗しきれずに、外装材が持ち上がり、外れてしまう可能性があるため、取付金具自体の強度を必要以上に強くしたり、留め付ける釘の量を出来る限り増やしたり等の作業を行っていた。
このため、外装材を窓枠の側端部に近接して設けつつ、外装材（以下、サイディング材）を外壁に強固に固定することを可能とし、これによって、上述のような作業手間を省略することができる技術の開発が強く望まれていた。
【０００６】
本発明の課題は、サイディング材を窓枠の側端部に近接するようにして設けることができるとともに、サイディング材を外壁に強固に固定することが可能なサイディング取付金具を提供することを目的とする。
【課題を解決するための手段】
【０００７】
請求項１に記載の発明は、例えば図１に示すように、サイディング材１を、窓枠２の側端部２ａに近接するようにして外壁３に取り付けるためのサイディング取付金具Ａにおいて、
前記窓枠２の側端部２ａに近接して設けられる係合用金具１０と、固定用金具２０とからなり、
前記係合用金具１０は、係合用金具本体１１と、
この係合用金具本体１１の表面に設けられ、サイディング材１の幅方向一縁部に設けられた被係合部１ａに係合する係合部１２と、
前記係合用金具本体１１の両側縁部に設けられ、サイディング材１を所定高さに支持する支持部１３と、
前記係合用金具本体１１に、前記窓枠２に近接する方向に延出して設けられ、外壁３に固定される固定部１４と、
前記係合用金具本体１１に、前記固定部１４と反対方向に延出して設けられた延出部１５とを備えており、
前記固定用金具２０は、前記係合用金具１０の延出部１５が係合して、この延出部１５を上方から押さえる押さえ部２１ａを有する固定用金具本体２１と、
この固定用金具本体２１に設けられ、外壁３に固定される本体固定部２２とを備えていることを特徴とする。
【０００８】
請求項１に記載の発明によれば、前記係合用金具本体１１に、前記窓枠２に近接する方向に延出する固定部１４が設けられているので、この固定部１４を前記窓枠２に近接して外壁３に固定することによって、前記係合用金具１０を窓枠２に近接して設けることができる。そして、このように窓枠２に近接して設けられた係合用金具１０の係合部１２に、前記サイディング材１の被係合部１ａを係合させることで、サイディング材１を窓枠２の側端部２ａに近接するようにして設けることができる。
しかも、前記固定用金具２０は、前記係合用金具１０の延出部１５を上方から押さえる押さえ部２１ａを有していることから、従来とは異なり、前記サイディング材１に生じる引張力を効果的に抑制することができるので、前記係合用金具１０の持ち上がりを防ぐことができ、前記サイディング材１を外壁３に強固に固定することができる。
【０００９】
また、前記係合用金具本体１１の両側縁部に設けられた支持部１３によって、前記サイディング材１を所定の高さに支持することができるので、サイディング材１と外壁３との間に隙間を形成することができ、この隙間を水・通気経路として確保することができる。
しかも、このように前記支持部１３によって前記サイディング材１を支持することができるので、サイディング材１を安定して設置することができる。
【００１０】
請求項２に記載の発明は、例えば図１および図２に示すように、請求項１に記載のサイディング取付金具Ａにおいて、
前記固定用金具２０の本体固定部２２には、止着材４を挿通するための孔部２２ａが形成されており、
この孔部２２ａは、前記係合用金具１０と固定用金具２０とが外壁３に設置された際に、前記係合用金具１０の係合部１２の近傍に位置するように、前記本体固定部２２に形成されていることを特徴とする。
【００１１】
請求項２に記載の発明によれば、前記固定用金具２０の本体固定部２２に前記孔部２２ａが形成されているので、この孔部２２ａに止着材４を挿通することによって、前記固定用金具２０を外壁３に強固に固定することができる。
しかも、前記係合用金具１０と固定用金具２０とが外壁３に設置された際に、前記孔部２２ａが前記係合用金具１０の係合部１２の近傍に位置することから、強固に固定された前記固定用金具２０によって、前記係合部１２に係合されるサイディング材１に生じた引張力をより効果的に抑制することができるので、前記係合用金具１０の持ち上がりをより確実に防ぐことができ、前記サイディング材１を外壁３に強固に固定することができる。
【００１２】
請求項３に記載の発明は、例えば図２に示すように、請求項１または２に記載のサイディング取付金具Ａにおいて、
前記サイディング材１の端縁と窓枠２との間に目地部５が形成されており、
前記係合用金具１０の固定部１４は、前記目地部５の底部５ａに位置するようにして延出していることを特徴とする。
【００１３】
請求項３に記載の発明によれば、前記係合用金具１０の固定部１４が、前記目地部５の底部５ａに位置するようにして延出していることから、例えば止着材４によって前記固定部１４を固定する際に、前記目地部５から止着材４を容易に挿入できるので、前記固定部１４を外壁３に固定しやすい。
【００１４】
請求項４に記載の発明は、例えば図１に示すように、請求項１〜３のいずれか一項に記載のサイディング取付金具Ａにおいて、
前記係合用金具本体１１の表面に、前記係合部１２の後背部１２ａに当接する当接部１６が設けられていることを特徴とする。
【００１５】
請求項４に記載の発明によれば、前記係合用金具本体１１の表面に、前記係合部１２の後背部１２ａに当接する当接部１６が設けられているので、前記サイディング材１に生じた引張力によって後方に傾いて折れ曲がろうとする前記係合部１２を、前記当接部１６によって抑えることができる。これによって、前記係合用金具１０の持ち上がりをより確実に防ぐことができ、前記サイディング材１を外壁３により強固に固定することができる。
【００１６】
請求項５に記載の発明は、例えば図１に示すように、請求項１〜４のいずれか一項に記載のサイディング取付金具Ａにおいて、
前記固定用金具本体２１の表面に、前記係合用金具１０の支持部１３とともにサイディング材１を所定高さに支持する補助支持部２３が設けられていることを特徴とする。
【００１７】
請求項５に記載の発明によれば、前記固定用金具本体２１の表面に、前記係合用金具１０の支持部１３とともにサイディング材１を所定高さに支持する補助支持部２３が設けられているので、サイディング材１と外壁３との間に隙間を形成することができ、この隙間を水・通気経路として確保することができる。
しかも、前記係合用金具１０の支持部１３と前記補助支持部２３とで前記サイディング材１を支持するので、サイディング材１をより安定して設置することができる。
【発明の効果】
【００１８】
本発明によれば、係合用金具の係合用金具本体に、窓枠に近接する方向に延出する固定部が設けられているので、この固定部を前記窓枠に近接して外壁に固定することによって、前記係合用金具を窓枠に近接して設けることができる。そして、このように窓枠に近接して設けられた係合用金具の係合部に、サイディング材の被係合部を係合させることで、サイディング材を窓枠の側端部に近接するようにして設けることができる。
しかも、固定用金具は、前記係合用金具の延出部を上方から押さえる押さえ部を有していることから、従来とは異なり、前記サイディング材に生じる引張力を効果的に抑制することができるので、前記係合用金具の持ち上がりを防ぐことができ、前記サイディング材を外壁に強固に固定することができる。
これによって、従来とは異なり、取付金具自体の強度を必要以上に強くしたり、留め付ける釘の量を出来る限り増やしたり等の作業手間を省略することができる。
【発明を実施するための最良の形態】
【００１９】
以下、図面を参照して本発明に係るサイディング取付金具Ａの実施の形態について説明する。
【００２０】
本実施の形態のサイディング取付金具Ａは、図１に示すように、サイディング材１を、窓枠２の側端部２ａに近接するようにして外壁３に取り付けるためのものであり、前記窓枠２の側端部２ａに近接して設けられる係合用金具１０と、固定用金具２０とからなる。
【００２１】
ここで、前記外壁３は外壁パネル３であり、この外壁パネル３は、図示はしないが、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
そして、前記外壁３には開口部が形成されており、この開口部に窓枠２が設置された状態となっている。
【００２２】
前記サイディング材１は、高さ方向に向かって長尺に形成され、図２に示すように、幅方向一縁部には、前記係合用金具本体１１の表面に設けられた係合部１２に係合する被係合部１ａが設けられている。また、幅方向他縁部には、図５に示すように、異なるサイディング取付金具（以下、補助取付金具Ｃ）が係合するための被係合部１ｂが形成されている。
また、図２および図６に示すように、サイディング材１の幅方向両縁部には、前記被係合部１ａ，１ｂの他に、切欠部１ｃ，１ｄが形成された上サネ１ｅおよび下サネ１ｆを備えており、隣り合うサイディング材１どうしをサネ接合できるようになっている。
【００２３】
また、前記係合用金具１０は、図１に示すように、係合用金具本体１１と、この係合用金具本体１１の表面に設けられ、サイディング材１の幅方向一縁部に設けられた被係合部１ａに係合する係合部１２と、前記係合用金具本体１１の両側縁部に設けられ、サイディング材１を所定高さに支持する支持部１３と、前記係合用金具本体１１に、前記窓枠２に近接する方向に延出して設けられ、外壁３に固定される固定部１４と、前記係合用金具本体１１に、前記固定部１４と反対方向に延出して設けられた延出部１５とを備えている。
【００２４】
前記係合部１２は、立脚部１２ｂと、この立脚部１２ｂから所定の角度で折曲加工され、前記切欠部１ｃに挿入される係合片１２ｃとを備えている。このような係合部１２によれば、前記立脚部１２ｂおよび係合片１２ｃとが金属弾性により僅かに変移可能に構成されているので、サイディング材１の被係合部１ａを係合させやすくなっている。
【００２５】
前記支持部１３は、前記係合用金具本体１１の両側縁部に立設された支持部本体１３ａと、この支持部本体１３ａの上端部に設けられ、前記サイディング材１の裏面１ｇに当接して支持する支持面部１３ｂとを備えている。
このような支持部１３によれば、前記サイディング材１を所定の高さに支持することができるので、サイディング材１と外壁３との間に隙間を形成することができ、この隙間を水・通気経路として確保することができる。しかも、このように前記支持部１３によって前記サイディング材１を支持することができるので、サイディング材１を安定して設置することができる。
【００２６】
前記固定部１４は、前記サイディング材１の端縁と窓枠２との間に形成された目地部５の底部５ａに位置するようにして延出している。また、この固定部１４には、止着材４等を挿通するための孔部１４ａが設けられている。これによって、例えば止着材４によって前記固定部１４を固定する際に、前記目地部５から止着材４を容易に挿入できるので、この固定部１４を外壁３に固定しやすい。
【００２７】
前記延出部１５は、前記固定部１４と反対方向に延出しており、前記係合部１２の立脚部１２ｂの下端部の位置から、前記係合用金具本体１１と一体的に形成されて設けられている。
【００２８】
また、前記係合用金具本体１１の表面に、前記係合部１２の後背部１２ａに当接する当接部１６が設けられている。
これによって、前記サイディング材１に生じた引張力によって後方に傾いて折れ曲がろうとする前記係合部１２を、前記当接部１６によって抑えることができるので、前記係合用金具１０の持ち上がりをより確実に防ぐことができ、前記サイディング材１を外壁３により強固に固定することができる。
【００２９】
一方、前記固定用金具２０は、前記係合用金具１０の延出部１５が係合して、この延出部１５を上方から押さえる押さえ部２１ａを有する固定用金具本体２１と、この固定用金具本体２１に設けられ、外壁３に固定される本体固定部２２とを備えている。
【００３０】
前記押さえ部２１ａは、前記固定用金具２０を外壁３に固定した際に、前記固定用金具本体２１と外壁３との間に形成される隙間を利用して前記係合用金具１０の延出部１５を押さえるようにしている。
【００３１】
前記本体固定部２２には、止着材４を挿通するための孔部２２ａが形成されており、この孔部２２ａは、前記係合用金具１０と固定用金具２０とが外壁３に設置された際に、前記係合用金具１０の係合部１２の近傍に位置するように、前記本体固定部２２に形成されている。
このように前記固定用金具２０の本体固定部２２に前記孔部２２ａが形成されているので、この孔部２２ａに止着材４を挿通することによって、前記固定用金具２０を外壁３に強固に固定することができるようになっている。
しかも、前記係合用金具１０と固定用金具２０とが外壁３に設置された際に、前記孔部２２ａが前記係合用金具１０の係合部１２の近傍に位置することから、強固に固定された前記固定用金具２０によって、前記係合部１２に係合されるサイディング材１に生じた引張力をより効果的に抑制することができるので、前記係合用金具１０の持ち上がりをより確実に防ぐことができ、前記サイディング材１を外壁３に強固に固定することができる。
【００３２】
また、前記固定用金具本体２１の表面に、前記係合用金具１０の支持部１３とともにサイディング材１を所定高さに支持する補助支持部２３が設けられている。
これによって、サイディング材１と外壁３との間に隙間を形成することができ、この隙間を水・通気経路として確保することができる。しかも、前記係合用金具１０の支持部１３と前記補助支持部２３とで前記サイディング材１を支持するので、サイディング材１をより安定して設置することができる。
【００３３】
さらに、前記固定用金具本体２１には、前記本体固定部２２とは別に、この固定用金具本体２１の持ち上がりを防ぐための補助固定部２４が前記押さえ部２１ａに隣接して設けられている。
この補助固定部２４によれば、前記係合用金具１０の延出部１５が係合した際に、前記固定用金具本体２１に生じる引張力を、前記押さえ部２１ａとともに押さえることができるようになっている。
【００３４】
なお、以上のような図１に示すサイディング取付金具Ａの他にも、図３に示すようなサイディング取付金具Ｂを使用しても良い。
すなわち、このサイディング取付金具Ｂは、前記窓枠２の側端部２ａに近接して設けられる係合用金具３０と、固定用金具４０とからなる。
また、前記係合用金具３０は、係合用金具本体３１と、この係合用金具本体３１の表面に設けられ、サイディング材１の幅方向一縁部に設けられた被係合部１ａに係合する係合部３２と、前記係合用金具本体３１の両側縁部に設けられ、サイディング材１を所定高さに支持する支持部３３と、前記係合用金具本体３１に、前記窓枠２に近接する方向に延出して設けられ、外壁３に固定される固定部３４と、前記係合用金具本体３１に、前記固定部３４と反対方向に延出して設けられた延出部３５とを備えている。
さらに、前記固定用金具４０は、前記係合用金具３０の延出部３５が係合して、この延出部３５を上方から押さえる押さえ部４１ａを有する固定用金具本体４１と、この固定用金具本体４１に設けられ、外壁３に固定される本体固定部４２とを備えている。
このようなサイディング取付金具Ｂによれば、構造の単純化を図っており、図１に示すサイディング取付金具Ａに比して、成形しやすく、廉価に製造できる。
【００３５】
なお、前記補助取付金具Ｃは、図４に示すように、この補助取付金具Ｃの本体部５０の表面に設けられ、サイディング材１の幅方向他縁部に設けられた被係合部１ｂに係合する係合部５１と、前記本体部５０の両側縁部に設けられ、サイディング材１を所定高さに支持する支持部５２と、前記本体部５０の表面に設けられ、前記係合部５１の後背部５１ａに当接する当接部５３と、前記本体部５０に設けられ、外壁３の固定される固定部５４とを備えている。
【００３６】
また、この補助取付金具Ｃを用いてサイディング材１を、窓枠２の他側端部２ｂに近接するようにして外壁３に取り付ける際は、図６に示すように、サイディング材１の幅方向他縁部の下サネ１ｆを加工しておくようにする。
【００３７】
次に、以上のようなサイディング取付金具Ａを用いたサイディング材１の取付方法について説明する。
【００３８】
すなわち、まず、図５に示すように、窓枠２の他側端部２ｂに近接して前記補助取付金具Ｃを設け、この補助取付金具Ｃの係合部５１を、サイディング材１の他縁部の被係合部１ｂに係合させるようにしてサイディング材１を設ける。
なお、上述したように、本来であればサイディング材１の他縁部は下サネ１ｆであるが、図６に示すように、補助取付金具Ｃの係合が可能なように、かつサイディング材１を窓枠２に近接して設けることができるように加工されている。また、図示はしないが、隣り合うサイディング材１，１どうしはサネ接合によって接合され、外壁３に複数設けられた状態となっている。
【００３９】
そして、このように隣り合うサイディング材１，１どうしをサネ接合によって接合していった場合、本来は窓枠２の他側端部２ｂにサイディング材１の下サネ１ｆが位置するように設けられているので、窓枠２の一側端部２ａにおいては、図２に示すように、上サネ１ｅが位置するようにサイディング材１が設けられる。
ここで、前記サイディング取付金具Ａの固定用金具２０を、予め外壁３の所定の位置に固定しておく。次いで、窓枠２の一側端部２ａに設けられるサイディング材１の被係合部１ａに、予め前記サイディング取付金具Ａの係合用金具１０の係合部１２を係合させておく。
【００４０】
その後、図２に示すように、外壁３の所定の位置に固定された固定用金具２０と、サイディング材１の被係合部１ａに係合された係合用金具１０とを隣接設置するようにして、前記サイディング材１を外壁３に設けるようにする。
この時、前記固定用金具本体２１の押さえ部２１ａによって前記係合用金具本体１１の延出部１５を押さえるようにして、前記固定用金具２０と係合用金具１０とが隣接設置された状態となっている。
【００４１】
そして、このように設けたサイディング材１の端縁と窓枠２との間の目地部５から止着材４を挿入して、この止着材４によって係合用金具１０の固定部１４を固定する。
また、目地部５には、この目地部５の隙間を埋めるための目地材（図示せず）を設けるようにする。この際、目地材としては乾式でも湿式でも良いものとする。以上のようにしてサイディング材１の取り付けがなされる。
【００４２】
なお、以上のように本実施の形態のサイディング取付金具Ａは、サイディング材１を窓枠２に近接して設けるためのものとしたが、これに限られるものではなく、例えばサイディング材１を、シャッター枠や換気フード、バルコニ等の外部に設けられる部品に近接して設けるために用いても良い。
【００４３】
本実施の形態によれば、前記係合用金具１０の係合用金具本体１１に、前記窓枠２に近接する方向に延出する固定部１４が設けられているので、この固定部１４を前記窓枠２に近接して外壁３に固定することによって、前記係合用金具１０を窓枠２に近接して設けることができる。そして、このように窓枠２に近接して設けられた係合用金具１０の係合部１２に、サイディング材１の被係合部１ａを係合させることで、サイディング材１を窓枠２の側端部２ａに近接するようにして設けることができる。
しかも、前記固定用金具２０は、前記係合用金具１０の延出部１５を上方から押さえる押さえ部２１ａを有していることから、従来とは異なり、前記サイディング材１に生じる引張力を効果的に抑制することができるので、前記係合用金具１０の持ち上がりを防ぐことができ、前記サイディング材１を外壁３に強固に固定することができる。
これによって、従来とは異なり、取付金具自体の強度を必要以上に強くしたり、留め付ける釘の量を出来る限り増やしたり等の作業手間を省略することができる。
【図面の簡単な説明】
【００４４】
【図１】本発明のサイディング取付金具を示す斜視図である。
【図２】図１のサイディング取付金具を用いたサイディング材の取付構造を示す側断面図である。
【図３】異なる態様のサイディング取付金具を示す斜視図である。
【図４】補助取付金具を示す斜視図である。
【図５】補助取付金具を用いたサイディング材の取付構造を示す側断面図である。
【図６】サイディング材の下サネの加工態様を示す概念図である。
【符号の説明】
【００４５】
Ａ  サイディング取付金具
１  サイディング材
２  窓枠
３  外壁
１０  係合用金具
２０  固定用金具
【図１】
0004701101.tif 000002
【図２】
0004701101.tif 000003
【図３】
0004701101.tif 000004
【図４】
0004701101.tif 000005
【図５】
0004701101.tif 000006
【図６】
0004701101.tif 000007